(57)【要約】【課題】移動手摺の表面を清掃するための時間を短くすることができるエスカレーターの移動手摺清掃装置を得る。【解決手段】欄干パネル３に対して固定される基部５１と、基部５１に回転可能に支持され、回転することによって移動手摺４の表面を清掃する清掃ローラ５２と、基部５１に回転可能に支持され、踏段２が移動することによって踏段２を転動する転動ローラ５３と、転動ローラ５３に発生する回転力を清掃ローラ５２に伝達して、清掃ローラ５２を回転させる動力伝達装置５４とを備えている。【選択図】図２
2018150149.tif 000002
【特許請求の範囲】
【請求項１】
欄干パネルに対して固定される基部と、
前記基部に回転可能に支持され、回転することによって移動手摺の表面を清掃する清掃ローラと
を備えた乗客コンベヤの移動手摺清掃装置。
【請求項２】
前記基部に回転可能に支持され、踏段が移動することによって前記踏段を転動する転動ローラと、
前記転動ローラに発生する回転力を前記清掃ローラに伝達して、前記清掃ローラを回転させる動力伝達装置と
をさらに備えた請求項１に記載の乗客コンベヤの移動手摺清掃装置。
【請求項３】
前記転動ローラは、前記踏段の移動経路における水平部にある前記踏段の上面を転動する請求項２に記載の乗客コンベヤの移動手摺清掃装置。
【請求項４】
一対の前記清掃ローラを備え、
一対の前記清掃ローラのそれぞれは、一対の前記欄干パネルのそれぞれに設けられた一対の前記移動手摺のそれぞれの表面を別々に清掃する請求項１から請求項３までの何れか一項に記載の乗客コンベヤの移動手摺清掃装置。
【請求項５】
前記基部は、基部本体と、前記基部本体から幅方向であって互いに反対方向に延びる一対の腕部とを有し、
前記腕部は、前記幅方向について伸縮可能となっている請求項１から請求項４までの何れか一項に記載の乗客コンベヤの移動手摺清掃装置。
【請求項６】
前記清掃ローラは、前記清掃ローラにおける前記移動手摺の表面に接触する部分が前記移動手摺の移動方向に対して反対の方向に移動するように回転する請求項１から請求項５までの何れか一項に記載の乗客コンベヤの移動手摺清掃装置。
【発明の詳細な説明】
【技術分野】
【０００１】
この発明は、循環移動する移動手摺の表面を清掃する乗客コンベヤの移動手摺清掃装置に関する。
【背景技術】
【０００２】
従来、上階乗降口の床に載せられる台座と、台座に支持され、移動手摺の表面に接触する清掃体とを備え、移動手摺が循環移動することによって、清掃体が移動手摺の表面を清掃するエスカレーターの移動手摺が知られている（例えば、特許文献１参照）。
【先行技術文献】
【特許文献】
【０００３】
【特許文献１】特開２００１−１０６４７０号公報
【発明の概要】
【発明が解決しようとする課題】
【０００４】
しかしながら、移動手摺が清掃体に対して移動することによって、清掃体が移動手摺の表面を拭くので、移動手摺の表面の汚れが多い場合には、移動手摺の表面を清掃するための時間が長くなってしまうという問題点があった。
【０００５】
この発明は、移動手摺の表面を清掃するための時間を短くすることができる乗客コンベヤの移動手摺清掃装置を提供するものである。
【課題を解決するための手段】
【０００６】
この発明に係る乗客コンベヤの移動手摺清掃装置は、欄干パネルに対して固定される基部と、基部に回転可能に支持され、回転することによって移動手摺の表面を清掃する清掃ローラとを備えている。
【発明の効果】
【０００７】
この発明に係る乗客コンベヤの移動手摺清掃装置によれば、清掃ローラは、清掃ローラが回転することによって、移動手摺の表面を清掃するので、移動手摺の表面を清掃するための時間を短くすることができる。
【図面の簡単な説明】
【０００８】
【図１】この発明の実施の形態１に係るエスカレーターの移動手摺清掃装置を用いて清掃されるエスカレーターを示す側面図である。
【図２】図１の移動手摺を清掃するエスカレーターの移動手摺清掃装置を示す正面図である。
【図３】図２のエスカレーターの移動手摺清掃装置を示す平面図である。
【図４】図２の動力伝達装置を示す正面図である。
【図５】図４のＶ−Ｖ線に沿った矢視断面図である。
【発明を実施するための形態】
【０００９】
実施の形態１．
図１はこの発明の実施の形態１に係るエスカレーターの移動手摺清掃装置を用いて清掃されるエスカレーターを示す側面図である。乗客コンベヤであるエスカレーターは、上階側階床１１と下階側階床１２とに渡って設けられた主枠１と、主枠１に設けられ、上階側階床１１と下階側階床１２との間を循環移動する複数の踏段２とを備えている。図１では、一部の踏段２のみを示しているが、複数の踏段２は、無端状に連結されている。また、エスカレーターは、幅方向に離れて設けられ主枠１に立てられた一対の欄干パネル３と、それぞれの欄干パネル３に設けられ、踏段２と連動して循環移動する一対の移動手摺４とを備えている。
【００１０】
図２は図１の移動手摺４を清掃するエスカレーターの移動手摺清掃装置を示す正面図、図３は図２のエスカレーターの移動手摺清掃装置を示す平面図である。図２では図１の踏段２、欄干パネル３および移動手摺４も示しており、図３では図１の踏段２および移動手摺４も示している。乗客コンベヤの移動手摺清掃装置であるエスカレーターの移動手摺清掃装置５は、欄干パネル３に対して固定される基部５１と、基部５１に回転可能に支持され、回転することによって一対の移動手摺４のそれぞれの表面を清掃する一対の清掃ローラ５２とを備えている。清掃ローラ５２の外周部は、移動手摺４の表面を清掃するために、ブラシ、スポンジなどから構成されている。
【００１１】
また、エスカレーターの移動手摺清掃装置５は、基部５１に回転可能に支持され踏段２が移動することによって踏段２を転動する転動ローラ５３と、転動ローラ５３に発生する回転力を清掃ローラ５２に伝達して、清掃ローラ５２を回転させる動力伝達装置５４とを備えている。転動ローラ５３の外周部は、踏段２の上面を滑らずに転動するために、ゴムなどから構成されている。
【００１２】
基部５１は、転動ローラ５３を回転可能に支持し高さ方向に延びる基部本体５１１と、基部本体５１１から幅方向であって互いに反対方向に延びる一対の腕部５１２と、腕部５１２の先端部に設けられた吸盤部５１３とを有している。この例で、幅方向とは、主枠１についての幅方向であって、図２の矢印Ａの方向である。それぞれの腕部５１２は、幅方向であって互いに反対方向について伸縮可能となっている。吸盤部５１３は、欄干パネル３に固定される。基部５１は、それぞれの腕部５１２を伸縮させることによって、幅方向の寸法が変化する。
【００１３】
吸盤部５１３は、一対の腕部５１２の長さが調節されることによって、一対の欄干パネル３に固定される。言い換えれば、基部５１は、一対の腕部５１２の長さが調節され、吸盤部５１３が一対の欄干パネル３に固定されることによって、一対の欄干パネル３に渡って設けられた状態で一対の欄干パネル３のそれぞれに固定される。
【００１４】
一対の清掃ローラ５２のそれぞれは、一対の欄干パネル３のそれぞれに設けられた一対の移動手摺４のそれぞれの表面に接触した状態で配置される。一対の清掃ローラ５２のそれぞれは、それぞれの清掃ローラ５２が回転することによって、一対の移動手摺４のそれぞれの表面を別々に清掃する。
【００１５】
転動ローラ５３は、踏段２の移動経路における水平部にある踏段２の上面を転動する。踏段２の移動経路における水平部とは、踏段２の移動経路における上階側階床１１に隣り合う部分および下階側階床１２に隣り合う部分であり、踏段２の移動経路における踏段２が水平方向に移動する部分である。この例では、図示しないハンドレールスイッチに幅方向に隣り合う踏段２の上面を転動ロ０ら５３が転動するようになっている。
【００１６】
図４は図２の動力伝達装置５４を示す正面図、図５は図４のＶ−Ｖ線に沿った矢視断面図である。動力伝達装置５４は、転動ローラ５３に接触する回転ローラ５４１と、回転ローラ５４１に設けられ回転ローラ５４１とともに回転する第１回転軸５４２と、一対の清掃ローラ５２に渡って設けられた第２回転軸５４３と、第１回転軸５４２と第２回転軸５４３とに渡って巻き掛けられたベルト５４４とを有している。回転ローラ５４１は、第１回転軸５４２を中心に回転する。一対の清掃ローラ５２は、第２回転軸５４３を中心に回転する。
【００１７】
第１回転軸５４２および第２回転軸５４３は、基部本体５１１に回転可能に支持されている。また、第１回転軸５４２および第２回転軸５４３は、それぞれの回転中心が転動ローラ５３の回転中心に対して平行となるように配置されている。
【００１８】
踏段２が移動すると、転動ローラ５３は、転動ローラ５３における踏段２の上面に接触している部分が踏段２の移動方向に移動するように、つまり、図５の矢印Ｂの方向に、回転する。転動ローラ５３が回転すると、回転ローラ５４１は、転動ローラ５３の回転方向とは反対の方向に、つまり、図５の矢印Ｃの方向に回転する。回転ローラ５４１が回転すると、第１回転軸５４２が回転ローラ５４１とともに回転することによって、ベルト５４４が図５の矢印Ｄの方向に循環移動する。ベルト５４４が循環移動することによって、第２回転軸５４３が図５の矢印Ｅの方向に回転する。その結果、清掃ローラ５２は、清掃ローラ５２における移動手摺４の表面に接触する部分が移動手摺４の移動方向に対して反対の方向に移動するように回転する。
【００１９】
清掃ローラ５２の回転速度は、転動ローラ５３の径寸法と回転ローラ５４１の径寸法との関係と、第１回転軸５４２の径寸法と第２回転軸５４３の径寸法との関係とを調節することによって、任意に変化させることができる。
【００２０】
以上説明したように、この発明の実施の形態１に係るエスカレーターの移動手摺清掃装置５によれば、欄干パネル３に対して固定される基部５１と、基部５１に回転可能に支持され、回転することによって移動手摺４の表面を清掃する清掃ローラ５２とを備えているので、移動手摺４の表面を清掃するための時間を短くすることができる。
【００２１】
また、このエスカレーターの移動手摺清掃装置５は、基部５１に回転可能に支持され、踏段２が移動することによって踏段２を転動する転動ローラ５３と、転動ローラ５３に発生する回転力を清掃ローラ５２に伝達して、清掃ローラ５２を回転させる動力伝達装置５４とを備えているので、踏段２の動力を用いて、清掃ローラ５２を回転させることができる。
【００２２】
また、転動ローラ５３は、踏段２の移動経路における水平部にある踏段２の上面を転動するので、転動ローラ５３を確実に回転させることができる。
【００２３】
また、このエスカレーターの移動手摺清掃装置５は、一対の清掃ローラ５２を備え、一対の清掃ローラ５２のそれぞれは、一対の欄干パネル３のそれぞれに設けられた一対の移動手摺４のそれぞれの表面を別々に清掃するので、一対の移動手摺４を同時に清掃することができる。その結果、移動手摺４の表面を清掃するための時間を短くすることができる。
【００２４】
また、基部５１は、基部本体５１１と、基部本体５１１から幅方向であって互いに反対方向に延びる一対の腕部５１２とを有し、腕部５１２は、幅方向について伸縮可能となっているので、一対の欄干パネル３の間の寸法に合わせて基部５１の幅方向の寸法を調節することができる。その結果、異なる種類のエスカレーターに対して、エスカレーターの移動手摺清掃装置５を用いることができる。
【００２５】
また、清掃ローラ５２は、清掃ローラ５２における移動手摺４の表面に接触する部分が移動手摺４の移動方向に対して反対の方向に移動するように回転するので、移動手摺４を効率よく清掃することができる。
【００２６】
なお、上記実施の形態１では、乗客コンベヤの移動手摺清掃装置として、エスカレーターの移動手摺清掃装置５を例に説明したが、動く歩道の移動手摺清掃装置であってもよい。
【００２７】
また、上記実施の形態１では、動力伝達装置５４として、回転ローラ５４１、第１回転軸５４２、第２回転軸５４３およびベルト５４４を有する構成について説明したが、これに限らず、例えば、歯車を用いて転動ローラ５３の回転力を清掃ローラ５２に伝達する構成であってもよい。
【００２８】
また、上記実施の形態１では、エスカレーターの移動手摺清掃装置５が、一対の清掃ローラ５２を備え、それぞれの清掃ローラ５２が一対の移動手摺４のそれぞれの表面を別々に清掃する構成について説明したが、エスカレーターの移動手摺清掃装置５が、一対の移動手摺４の何れか一方のみを清掃する構成であってもよい。
【００２９】
また、上記実施の形態１では、エスカレーターの移動手摺清掃装置５が、踏段２の動力を用いて清掃ローラ５２を回転させる構成について説明したが、踏段２の動力を用いない構成であってもよい。この場合、例えば、モータを備え、このモータの動力を用いる構成であってもよく、また、移動手摺４の動力を用いる構成であってもよい。
【００３０】
また、上記実施の形態１では、清掃ローラ５２が、清掃ローラ５２における移動手摺４の表面に接触する部分が移動手摺４の移動方向に対して反対の方向に移動するように回転する構成について説明したが、清掃ローラ５２が、清掃ローラ５２における移動手摺４の表面に接触する部分が移動手摺４の移動方向に移動するように回転する構成であってもよい。この場合、清掃ローラ５２の回転速度は、清掃ローラ５２における移動手摺４の表面に接触する部分が移動手摺４の移動速度よりも速く移動するような回転速度にする。
【００３１】
また、上記実施の形態１では、基部５１が欄干パネル３に接触して固定される構成について説明したが、基部５１がインナーデッキまたはスカートガードに接触して固定される構成であってもよい。この場合であっても、インナーデッキおよびスカートガードが欄干パネル３に対して固定されているので、基部５１が欄干パネル３に対して固定される。
【００３２】
また、上記実施の形態１では、基部５１が吸盤部５１３を備えた構成について説明したが、これに限らず、基部５１が欄干パネル３に対して固定される構成であればよい。
【符号の説明】
【００３３】
１  主枠、２  踏段、３  欄干パネル、４  移動手摺、５  エスカレーターの移動手摺清掃装置、１１  上階側階床、１２  下階側階床、５１  基部、５２  清掃ローラ、５３  転動ローラ、５４  動力伝達装置、５１１  基部本体、５１２  腕部、５１３  吸盤部、５４１  回転ローラ、５４２  第１回転軸、５４３  第２回転軸、５４４  ベルト。
【図１】
2018150149.tif 000003
【図２】
2018150149.tif 000004
【図３】
2018150149.tif 000005
【図４】
2018150149.tif 000006
【図５】
2018150149.tif 000007